(57)【要約】    【課題】  部品点数を少なくして製造コストを低減させるとともに施工作業を簡略化でき、水漏れのおそれを減少させることのできる水栓用金具を提供すること。    【解決手段】  壁面１の取付孔２に挿通固定されるとともに壁面１の裏側に配設される配管と壁面１の表側に設置される水栓５とを接続する水栓用接続金具２０であって、配管が接続される配管側接続部２２と、水栓５が接続される水栓側接続部２４と、各接続部２２，２４の間に設けられた主体部２６と、が一体に備えられ、主体部２６には、固定ナット４２が螺着可能な雄ねじ部２８が設けられ、雄ねじ部２８よりも配管接続部２２側には取付孔２周縁に係止可能なフランジ３０が設けられ、水栓側接続部２４の先端側には、水栓５の接続部１２が接続可能な袋ナット４０が備えられ、雄ねじ部２８には固定ナット４２が螺着され、袋ナット４０の外径が、固定ナット４２の内径よりも小径に設けられた。    【選択図】    図３
2005139735.tif 000002
【特許請求の範囲】
【請求項１】
壁面等の取付部の取付孔に挿通固定されるとともに該取付部の裏側に配設される配管と該取付部の表側に設置される水栓とを接続する水栓用接続金具であって、
前記配管が接続される配管側接続部と、
前記水栓が接続される水栓側接続部と、
前記各接続部の間に設けられた主体部と、が一体に備えられ、
前記主体部には、固定ナットが螺着可能な雄ねじ部が設けられ、
該雄ねじ部よりも前記配管接続部側には取付孔周縁に係止可能な係止部が設けられ、
前記水栓側接続部の先端側には、前記水栓の接続部が接続可能な袋ナットが備えられ、
前記雄ねじ部には固定ナットが螺着され、
前記袋ナットの外径が、前記固定ナットの内径よりも小径に設けられたことを特徴とする水栓用接続金具。
【請求項２】
２つの前記請求項１に記載の水栓用接続金具に、両水栓用接続金具に設けられた被係合部にそれぞれ係合する係合部を備えた固定用プレートが取り付けられたことを特徴とする水栓用接続金具。
【発明の詳細な説明】
【技術分野】
【０００１】
本発明は、壁面等の取付部の取付孔に挿通固定されるとともに該取付部の裏側に配設される配管と取付部の表側に設置される水栓とを接続する水栓用接続金具に関する。
【背景技術】
【０００２】
従来、壁面等の取付部の取付孔に挿通固定されるとともに該取付部の裏側に配設される配管と該取付部の表側に設置される水栓とを接続する水栓用接続金具が用いられている。例えば図５に示すように、この種の水栓用接続金具６０は、壁面１の裏側に配設された配管３の端末にその一端側が接続されるとともに、壁面１表側の水栓の接続部（図示省略）に他端側が接続されて、給湯源や給水源等からの湯・水を水栓に供給するために配設される。この水栓用接続金具６０は、給湯用の配管３ａ及び給水用の配管３ｂのそれぞれについて用いられ、湯水混合水栓である水栓に湯・水をそれぞれ別途に供給するように用いられている。水栓用接続金具６０には、別体に設けられた配管アダプタ６２と、接続ソケット６４が備えられている。配管アダプタ６２は、壁面１の取付孔２よりも大径のフランジ６６を備えており、このフランジ６６を壁面１裏側に当接させるようにして、接続ソケット６４側の接続部６８を取付孔２表側に挿通露呈させられる。接続ソケット６４は、この接続部６８の雌ねじ（図示省略）にねじ込まれて接続されるものであるが、接続ソケットのアダプタ側の接続部７０の雄ねじにはシールテープが適宜量巻き付けられ配管アダプタ６２の接続部６８との水密が図られている。接続部７０の雄ねじは、先細のテーパねじとされており、接続部７０を所定量ねじ込んだ状態において接続部６８の内周面と接続部７０の外周面とにシールテープが充分に圧着されて適切な水密が行われるように設けられている。また、固定ナット７２が接続部６８の雄ねじにねじ込まれ、壁面１表側の固定ナット７２と壁面１裏側のフランジ６６とにより壁面１を挟持固定させることによって配管アダプタ６２及び接続ソケット６４が壁面１に固定されている。このようにして配管３に接続され壁面１に固定される水栓用接続金具６０は、給湯側・給水側のそれぞれについて取り付け固定されている。
【０００３】
また、接続ソケット６４は、図５に示すようにクランク状に形成されており、配管アダプタ６２側に接続される接続部７０を支点としてこの接続ソケット６４を回転させる、すなわち接続部７０の配管アダプタ６２へのねじ込み量を多少調節することにより、接続部７０と反対側の袋ナット７４が取り付けられた水栓側の接続部７６の位置を調節することができる。そして、給湯側・給水側のそれぞれの接続ソケット６４をこのようにして回転調節して、水栓の湯側接続部と水側接続部の間隔に合わせるように両接続ソケット６４の接続部７６の間隔を調節し、袋ナット７４を介して各接続ソケット６４を水栓に接続するとともに、水栓を壁面１に固定するものである（例えば、特許文献１。）。
【０００４】
【特許文献１】特開平９−１４４７３号公報（図１、図５及び図７）
【発明の開示】
【発明が解決しようとする課題】
【０００５】
上記した従来の水栓用接続金具６０は、それぞれ別体の配管アダプタ６２及び接続ソケット６４を必要とするため部品点数が増加し、製造コストが増大するとともに、部品点数が多いために壁面１への取り付け施工作業も煩雑なものとなっていた。また、両接続ソケット６４の接続部７６の間隔を水栓側の接続部の間隔に合わせるために、反対側の接続部７０のねじ込み具合を調節することが必要となるが、接続部６８と接続部７０との水密は接続部７０へのシールテープの巻き付け量によって左右される。このため、接続部７０へのシールテープの巻き付け作業に熟練度を要し、巻き付けが適切になされない場合の水漏れのおそれが増大していた。
【０００６】
本発明は上記した従来の水栓用金具の問題点を解消するものであり、部品点数を少なくして製造コストを低減させるとともに施工作業を簡略化できる水栓用金具を提供することを目的とする。また、水漏れのおそれを減少させることのできる水栓用金具を提供することも目的とする。また、特に請求項２の水栓用金具では、熟練度を要することなく、２つの水栓用金具の水栓側の接続部の間隔を、水栓側の接続部の間隔に容易に一致させて調節することのできる水栓用金具を提供することも目的とする。
【課題を解決するための手段】
【０００７】
以上の課題を解決するために、本発明の採った手段を以下に説明する。本発明の水栓用接続金具は、「壁面等の取付部の取付孔に挿通固定されるとともに該取付部の裏側に配設される配管と該取付部の表側に設置される水栓とを接続する水栓用接続金具であって、前記配管が接続される配管側接続部と、前記水栓が接続される水栓側接続部と、前記各接続部の間に設けられた主体部と、が一体に備えられ、前記主体部には、固定ナットが螺着可能な雄ねじ部が設けられ、該雄ねじ部よりも前記配管接続部側には取付孔周縁に係止可能な係止部が設けられ、前記水栓側接続部の先端側には、前記水栓の接続部が接続可能な袋ナットが備えられ、前記雄ねじ部には固定ナットが螺着され、前記袋ナットの外径が、前記固定ナットの内径よりも小径に設けられたことを特徴とする水栓用接続金具。」（請求項１）である。
【０００８】
本水栓用接続金具は、取付部の取付孔に、取付部の裏側から挿通されて取付孔の周縁に係止部が当接され、一方、取付部の表側から、固定ナットが雄ねじ部に螺着され、これらの係止部と固定ナットによって取付部を挟持固定することにより、水栓用接続金具を取付部に固定するものである。そして本水栓用接続金具では、袋ナットの外径が、固定ナットの内径よりも小径に設けられているので、上記のように固定ナットを雄ねじ部に螺着する際に、袋ナットに干渉されることなく、袋ナットを固定ナットに挿通させるようにして袋ナットよりも基端側の雄ねじ部に固定ナットを到達させることができる。よって、本水栓用接続金具では、袋ナットを取り付けた水栓側接続部を取付孔裏側から挿通した後に、単に取付部表側からこの水栓側接続部先端に固定ナットを挿通させて雄ねじ部に取り付ければ水栓用接続金具の取付部への固定作業が完了する。また、取付部裏側と表側にそれぞれ配管アダプタと接続ソケット等の別途の部材を必要としない。また、配管アダプタと接続ソケット等の別途の部材を備えず、配管側接続部、主体部及び水栓側接続部が一体に備えられているので、当然ながら、これらの各部位間における施工不良等による水漏れのおそれはない。
【０００９】
本水栓用接続金具は、主体部の雄ねじ部が挿通可能であり、かつ、係止部が挿通不能な取付孔を備えるとともに、取付孔に挿通された状態で雄ねじ部が取付部表側に露呈されて固定ナットが取付部表側から雄ねじ部に螺着可能な取付部であれば、どのような取付部に対しても用いることができる。なお、本水栓用接続金具における「取付部」は、浴室、洗面所台所等に配設される例示の壁面やデッキ面等や、パネル等、水栓関連部品・水栓関連製品の壁面やデッキ面等も含む。「係止部」は、例えば、フランジや、突片など、水栓用接続金具の外周面から突設されて取付孔周縁に係止可能な種々の部位を含む。
【００１０】
また上記した水栓用接続金具において、２つの水栓用接続金具に被係合部を設け、両水栓用接続金具に設けられた被係合部にそれぞれ係合する係合部を備えた固定用プレートを取り付けるものとすることもできる（請求項２）。
【００１１】
湯水混合水栓等の２つの配管を接続する水栓において本発明のような水栓用接続金具を用いる場合には、配管側に接続される２つの水栓用接続金具を用いる。これらの水栓用接続金具の水栓側接続部の間隔を水栓側の接続部の間隔に正確に合わせないと水栓用接続金具と水栓との接続が困難となり、場合によっては、いったん壁面に固定した水栓用接続金具の固定ナットを緩めて両水栓用接続金具の間隔を再調整しなくてはならないなど、取り付け作業に煩雑さが生ずる。本水栓用接続金具では、両水栓用接続金具のそれぞれの被係合部に係合する係合部を備えた固定用プレートを取り付けることにより、両水栓用接続金具の間隔を予め正確に定めて、水栓への接続を容易にすることができる。「係合部」と「被係合部」は、互いに係合可能な凸部と凹部、突条と切り欠き等、水栓用接続金具の位置決めが可能な種々の部位を含むものである。
【発明の効果】
【００１２】
本発明は上記のように構成されているので、部品点数を少なくして製造コストを低減させるとともに施工作業を簡略化できる。また、水漏れのおそれを減少させることもできる。また、特に請求項２の発明では、熟練度を要することなく、２つの水栓用金具の水栓側接続部の間隔を、水栓側の接続部の間隔に容易に一致させて調節することもできる。
【発明を実施するための最良の形態】
【００１３】
次に、本発明の水栓用接続金具の実施の形態を図を参考にして詳細に説明する。図１に示すように、本発明の水栓用接続金具２０は、「取付部」の一例である壁面１に水栓５を固定するとともに、壁面１裏側に引き回されて壁面１の取付孔２近傍にその端部が配設される給湯配管、給水配管（図示省略）の端末に水栓５を接続するものである。図１及び図２に示すように、水栓用接続金具２０を介して給湯配管及び給水配管に接続された水栓５は、湯側のハンドル６と水側のハンドル７により、水栓本体８内で混合される湯及び水の量を適宜調節し、切換ハンドル９によって、吐水口１０又はシャワーヘッド（図示省略）に接続されるシャワーホース１１のいずれかが選択されて混合水を吐出させるものである。
【００１４】
水栓用接続金具２０は、その一端側が図示しない配管の端末に接続され、またその他端側は水栓本体８背面側に湯側・水側のそれぞれに突設された接続部１２に、袋ナット４０によってそれぞれ接続されている。
【００１５】
図３に示すように、水栓用接続金具２０は、配管側がほぼ直角に屈曲された全体がＬ字状の筒状に形成されており、取付孔２に取り付けられる主体部２６と、主体部２６から配管側に連設される配管側接続部２２と、主体部２６から水栓側に連設される水栓側接続部２４とが備えられている。配管側接続部２２は、主体部２６の軸心方向からほぼ直角に屈曲形成されて主体部２６に連設されており、その開口部２１に配管の端末が接続される。開口部２１には雌ねじ２３が刻設されており、この雌ねじ２３に配管の端末が接続される。
【００１６】
主体部２６の外周面には、後述する固定ナット４２が螺着される雄ねじ部２８が設けられている。また、この雄ねじ部２８よりも配管側接続部２２寄りには、本発明の「係止部」の一例であるフランジ３０が周設されている。この雄ねじ部２８は取付孔２よりも小径に形成され、一方、フランジ３０は取付孔２よりも大径に形成されており、壁面１裏側から取付孔２に主体部２６を挿通させて雄ねじ部２８が壁面１表側に露呈された状態において、フランジ３０が取付孔２周縁に当接されるように設けられている。また、後述するように、フランジ３０には、配管側接続部２２の屈曲方向と反対側の面に、主体部２６径方向に沿って突条３２が突設されており、この突条３２が、フランジ３０と壁面１裏面との間に挟着された固定プレート４６の切り欠き５０に挿通されて係合されている。
【００１７】
上記したように、配管側接続部２２と反対側の主体部２６先端側には、主体部２６よりも小径の水栓側接続部２４が設けられている。水栓側接続部２４は、その先端外周面にフランジ３４が周設され、基端側には周溝３６が形成されている。そして、この水栓側接続部２４の先端に、フランジ３４よりも主体部２６側の外周面に装着されたリング３８を介在させて、袋ナット４０が水栓側接続部２４に対して回動自在かつ摺動自在に取り付けられている。そしてまた、この袋ナット４０の外径も主体部２６よりも小径に形成されており、すなわち、袋ナット４０の外径は、固定ナット４２の内径よりも小径に形成されている。
【００１８】
そして、このように構成された水栓用接続金具２０が、水栓側接続部２４から取付孔２に挿通されて、フランジ３０が取付孔２の裏面側周縁に当接されて位置決めされている。また、このように水栓用接続金具２０が位置決めされた状態で、取付孔２表側から雄ねじ部２８に固定ナット４２がねじ込まれている。固定ナット４２は、パッキン４４を壁面１との間に介して取付孔２周縁に当接されるまで雄ねじ部２８にねじ込まれ、壁面１裏側のフランジ３０と協働して壁面１を挟持し、もって水栓用接続金具２０が壁面１に固定されている。
【００１９】
固定ナット４２を雄ねじ部２８にねじ込む際には、水栓側接続部２４先端に固定ナット４２を挿通させるが、上記したように、袋ナット４０の外径は雄ねじ部２８よりも小径に形成されており、また、雄ねじ部２８に螺着される固定ナット４２の内径よりも小径に形成されているので、水栓側接続部２４先端に取り付けられている袋ナット４０に干渉されることなく、水栓側接続部２４基端側の主体部２６に固定ナット４２を螺着することができる。
【００２０】
そして、水栓側接続部２４の開口先端面と水栓本体８の接続部１２の開口端面との間にパッキン４４が介在されて、接続部１２の雄ねじ１３に袋ナット４０が螺着され、水栓側接続部２４と水栓本体８とが接続固定されている。
【００２１】
このように構成された水栓用接続金具２０を用いた配管と水栓５との接続方法を説明する。まず、水栓用接続金具２０の配管側接続部２２に給湯配管及び給水配管の端末のそれぞれに接続する。次いで、本例では、図４に示すように、それぞれの水栓用接続金具２０に固定プレート４６を取り付ける。固定プレート４６は、全体がほぼ長方形状の板状に形成されており、その上部辺には断面コ字状に折り曲げ形成された折り曲げ部４８が設けられている。また、固定プレート４６には、給湯側及び給水側の両水栓用接続金具２０が挿通される挿通孔５２がそれぞれ形成されている。挿通孔５２の横方向の内径は、主体部２６基端側の外径とほぼ同一に形成されており、挿通孔５２内に挿通されるそれぞれの水栓用接続金具２０の位置決めを行って、両水栓用接続金具２０の軸心の間隔を所定の間隔に定めることができるように設けられている。本例では、この挿通孔５２が請求項２の発明に言う「係合部」に相当し、水栓用接続金具２０の外周面が「被係合部」に相当する。
【００２２】
また、折り曲げ部４８にはさらに、図３にも示すようにフランジ３０に突設された突条３２が挿通されて係合する切り欠き５０がそれぞれ設けられており、突条３２が係合されることにより、水栓用接続金具２０の回転防止がなされる。挿通孔５２はその上下端に主体部２６の外径とほぼ同一の半円部を備えた縦長の長円形状に形成されており、主体部２６を挿通孔５２に挿通した後、固定用プレート４６を下方にスライドさせて切り欠き５０に突条３２を挿通させ、長円形状の挿通孔５２の上端に主体部２６が係合されるように構成されている。
【００２３】
このように固定用プレート４６を両水栓用接続金具２０に取り付けた後、壁面１表側から主体部２６の雄ねじ部２８に固定ナット４２を螺着して、水栓用接続金具２０を壁面１に固定する。この際には上記したように、袋ナット４０によって干渉されることなく固定ナット４２を主体部２６にねじ込むことができる。このように、従来の水栓用接続金具６０のように配管に接続した配管アダプタ６２を取付孔２に挿通させて固定ナット７２により固定しさらに接続ソケット６４を配管アダプタ６２に接続するような作業を不要とし、配管に接続した水栓用接続金具２０を固定ナット４２により壁面１に固定するだけで、水栓５を接続することができる状態とすることができ、水栓用接続金具２０の壁面１への取り付け作業を簡略化することができる。
【００２４】
また、従来の水栓用接続金具６０のように接続ソケット６４と配管アダプタ６２を別部材とすることにより生じるおそれのある、配管アダプタ６２と接続ソケット６４とのシール不良による水漏れは生じない。
【００２５】
また主体部２６に固定ナット４２をねじ込む際に、上記したように水栓用接続金具２０の回転が固定用プレート４６によって堅固に規制されているので、固定ナット４２のねじ込み作業により水栓用接続金具２０がいわゆる「共回り」を起こすことがないので、固定ナット４２のねじ込み作業を確実・容易に行うことができる。
【００２６】
そして最後に、このように壁面１に固定された水栓用接続金具２０の水栓側接続部２４に袋ナット４０を介して水栓本体８の接続部１２を接続固定する。両水栓用接続金具２０の軸心の間隔は、上記したように固定用プレート４６によって所定の間隔に予め定められており、水栓本体８に突設された湯側・水側の両接続部１２の軸心に、それぞれの水栓側接続部２４の正確な軸心位置を容易に合わせることができるように構成されている。このようにして、配管と水栓５とが接続されるとともに、水栓５が壁面１に固定される。
【００２７】
なお、本発明は上記した実施の形態に限られるものではなく、本発明の趣旨の範囲内で種々の変更が可能である。例えば、固定ナットや袋ナットの形状に特に限定はなく、種々の形状のものを用いることができる。また、請求項２の発明にいう「係合部」及び「被係合部」は、上記したように種々の形状の部位・部材を含み、本例の他にも、例えば、挿通孔ではなく水栓用接続金具２０を挿通係合可能な切り欠きを設けた固定プレートを用いたり、水栓用接続金具に別途設けた凸部などを係合可能な凹部を設けた固定用プレートを用いるなどとしても良い。
【図面の簡単な説明】
【００２８】
【図１】水栓用接続金具に取り付けた水栓の側面図である。
【図２】水栓用接続金具に取り付けた水栓の正面図である。
【図３】水栓用接続金具の縦断面図である。
【図４】水栓用接続金具及び固定用プレートの背面側斜視図である。
【図５】従来の水栓用接続金具の横断面図である。
【符号の説明】
【００２９】
１；壁面、２；取付孔、３；配管、５；水栓、６；ハンドル、７；ハンドル、８；水栓本体、９；切換ハンドル、１０；吐水口、１１；シャワーホース、１２；接続部、１３；雄ねじ、２０；水栓用接続金具、２１；開口部、２２；配管側接続部、２３；雌ねじ、２４；水栓側接続部、２６；主体部、２８；雄ねじ部、３０；フランジ、３２；突条、３４；フランジ、３６；周溝、３８；リング、４０；袋ナット、４２；固定ナット、４４；パッキン、４６；固定プレート、４８；折り曲げ部、５０；切り欠き、５２；挿通孔、６０；水栓用接続金具、６２；配管アダプタ、６４；接続ソケット、６６；フランジ、６８；接続部、７０；接続部、７２；固定ナット、７４；袋ナット、７６；接続部。
【図１】
2005139735.tif 000003
【図２】
2005139735.tif 000004
【図３】
2005139735.tif 000005
【図４】
2005139735.tif 000006
【図５】
2005139735.tif 000007